(57)【要約】【課題】  大量の文書データを扱う検索において、効率的にユーザが所望する文書データを検索することができる文書検索装置、およびその文書検索方法、並びに記憶媒体を提供する。【解決手段】  文書毎に複数の類似性判定基準により判定し、その総合結果を表示する際に検索結果の類似性判定において有効であった類似性判定基準を表示する。【選択図】  図８
2005173795.tif 000002
【特許請求の範囲】
【請求項１】
文書検索の対象である文書毎に複数の類似性判定基準により判定された結果を総合して文書を検索する類似文書検索手段とを備える文書検索装置において、
検索結果の類似性判定において有効であった類似性判定基準を表示する有効類似性判定基準表示手段を具備することを特徴とする文書検索装置。
【請求項２】
前記類似文書検索手段は、表示される類似性判定基準間で有効度の差に応じて表示方法を変更する有効類似性判定基準表示手段を具備することを特徴とする請求項１記載の文書検索装置。
【請求項３】
前記類似文書検索手段は、文書テキスト、文書内の画像、文書のレイアウト構造、文書ファイル属性、それぞれの対象毎に類似性判定基準が別れている類似文書検索手段を具備することを特徴とする請求項１記載の文書検索装置。
【請求項４】
前記類似文書検索手段は、文書内容から抽出した意味概念により類似性を判定する類似文書検索手段を具備し、分類された意味概念を類似性判定基準とすることを特徴とする請求項１記載の文書検索装置。
【請求項５】
前記類似文書検索手段は、文書内容から抽出した分野別特徴量により類似性を判定する類似文書検索手段を具備し、分類された分野を類似性判定基準とすることを特徴とする請求項１記載の文書検索装置。
【請求項６】
文書検索の対象である文書毎に複数の類似性判定基準により判定された結果を総合して文書を検索する類似文書検索工程とを備える文書検索方法において、
検索結果の類似性判定において有効であった類似性判定基準を表示する有効類似性判定基準表示工程を具備することを特徴とする文書検索方法。
【請求項７】
前記類似文書検索工程は、表示される類似性判定基準間で有効度の差に応じて表示方法を変更する有効類似性判定基準表示工程を具備することを特徴とする請求項６記載の文書検索方法。
【請求項８】
前記類似文書検索工程は、文書テキスト、文書内の画像、文書のレイアウト構造、文書ファイル属性、それぞれの対象毎に類似性判定基準が別れている類似文書検索工程を具備することを特徴とする請求項６記載の文書検索方法。
【請求項９】
前記類似文書検索工程は、文書内容から抽出した意味概念により類似性を判定する類似文書検索工程を具備し、分類された意味概念を類似性判定基準とすることを特徴とする請求項６記載の文書検索方法。
【請求項１０】
前記類似文書検索工程は、文書内容から抽出した分野別特徴量により類似性を判定する類似文書検索工程を具備し、分類された分野を類似性判定基準とすることを特徴とする請求項６記載の文書検索方法。
【請求項１１】
文書検索の対象である文書毎に複数の類似性判定基準により判定された結果を総合して文書を検索する文書検索処理装置を制御するためのコンピュータで読み取り可能な制御プログラムを格納した記憶媒体であって、
前記制御プログラムは、
検索結果の類似性判定において有効であった類似性判定基準を表示する有効類似性判定基準表示モジュールを具備することを特徴とする記憶媒体。
【請求項１２】
表示される類似性判定基準間で有効度の差に応じて表示方法を変更する有効類似性判定基準表示モジュールを具備することを特徴とする請求項１０記載の記憶媒体。
【請求項１３】
文書テキスト、文書内の画像、文書のレイアウト構造、文書ファイル属性、それぞれの対象毎に類似性判定基準が別れている類似文書検索モジュールを具備することを特徴とする請求項１０記載の記憶媒体。
【請求項１４】
文書内容から抽出した意味概念により類似性を判定する類似文書検索モジュールを具備し、分類された意味概念を類似性判定基準とすることを特徴とする請求項１０記載の記憶媒体。
【請求項１５】
文書内容から抽出した分野別特徴量により類似性を判定する類似文書検索モジュールを具備し、分類された分野を類似性判定基準とすることを特徴とする請求項１０記載の記憶媒体。
【発明の詳細な説明】
【技術分野】
【０００１】
本発明は、文書検索装置、およびその文書検索方法、並びに記憶媒体に関する。
【背景技術】
【０００２】
電子化された文書も実際は多種多様であり、純粋な文字列のみのテキストからレイアウト構造やフォント等の付加属性を持ったもの、画像データを包含しているもの、プリントされた文書をスキャンしたデータ等である。また扱う量も膨大となり、データを効率良く扱うための多種多様の検索技術も用意されている。文字列を検索する技術、レイアウト構造や画像データを検索する技術等である。
【０００３】
現在は情報処理技術・ネットワーク技術の発展により増え続ける情報をより効率よく扱うために、情報の一元管理を目指す検索の統合化と高度化が進んでいる。
【０００４】
統合化は先にあげた対象によって異なる検索を統合することであり、文書を構成する対象や属性情報によって検索判断基準が用意される。
【０００５】
高度化は対象が同じでもより深く分析した手法や異なる方法による検索を組合せることである。例えば文書のテキスト検索では単純なキーワード検索による文書検索（キーワードを指示し、求める文書データが出現するか否かで行う検索）だけでなく、キーワード間の関係や、使用単語の概念から本質的な意味概念の比較等から総合して判断する。
【０００６】
以上、統合化・高度化によりユーザが多種多様かつ膨大な文書の中から所望の文書を検索するための類似性判定基準は増やすことで、より高度な検索を実現させてきている。
【０００７】
しかしながら、検索精度を高めるために検索の判定基準が複雑になると、その判定基準すべてがユーザの所望している判定基準に合致しているとは限らなくなる。つまり表示された文書の検索結果の中にはユーザの所望する判定基準による類似性が高い文書と他の判定基準による類似性が高い文書が混在することになる。タイトルからそれらの判別が容易につかない場合、ユーザは各検索結果の内容をそれぞれ確認する必要が生じ、所望の文書を得るのに時間がかかることになる。検索の判定基準が多くなればなるほど、この傾向は強まることになる。
【０００８】
多文書を内容等で自動的に分類する技術が特許文献１などで開示されている。検索判定基準が自動分類での分類基準に使用可能であれば、検索結果を自動分類することで結果対象の確認効率を向上させることができる。しかし、この方法では分類された各カテゴリーを超えた総合判定順に文書を確認していくことが難しい。これはユーザ所望の判定基準が少数の場合は有効であるが、数が多いとかえって確認の無駄が増大する。全体の判定基準の数が多い場合もまた同様である。そもそも全体の判定基準が少数であれば、その内訳を有効・無効を問わずにすべて表示することが可能になる。
【特許文献１】特開平８−３０５７１０号公報
【発明の開示】
【発明が解決しようとする課題】
【０００９】
本発明の目的は、上述した課題を解決するためになされたものであり、その目的は複数の類似性判定基準により判定された結果を総合して文書を検索する類似文書検索手段による文書検索において、検索結果の類似性判定において有効であった類似性判定基準を表示することにより、効率的にユーザが所望する文書データを結果のなかから選別することができる文書検索装置、およびその文書検索方法、並びに記憶媒体を提供することにある。
【課題を解決するための手段】
【００１０】
上記目的を達成するために、本発明は、文書検索の対象である文書毎に複数の類似性判定基準により判定された結果を総合して文書を検索する類似文書検索手段とを備える文書検索装置において、検索結果の類似性判定において有効であった類似性判定基準を表示する有効類似性判定基準表示手段を具備することを特徴とする文書検索装置を提供する。
【００１１】
また、本発明は文書検索の対象である文書毎に複数の類似性判定基準により判定された結果を総合して文書を検索する類似文書検索工程とを備える文書検索方法において、検索結果の類似性判定において有効であった類似性判定基準を表示する有効類似性判定基準表示工程を具備することを特徴とする文書検索方法を提供する。
【００１２】
また、本発明は文書検索の対象である文書毎に複数の類似性判定基準により判定された結果を総合して文書を検索する文書検索処理装置を制御するためのコンピュータで読み取り可能な制御プログラムを格納した記憶媒体であって、前記制御プログラムが、検索結果の類似性判定において有効であった類似性判定基準を表示する有効類似性判定基準表示モジュールを具備することを特徴とする記憶媒体を提供する。
【発明の効果】
【００１３】
本発明の文書検索処理方法及び装置によれば、検索結果の類似性判定において有効であった類似性判定基準を表示することにより、ユーザは表示された検索結果文書がなぜ結果としてあげられているかを確認することが可能であり、多くの判定基準を用いた検索結果においても効率的にその場でユーザ所望の判定基準による検索結果を選ぶことが可能となる。また、本発明の記憶媒体によれば、上述したような本発明の文書検索処理装置を円滑に制御することができるという効果を奏する。
【発明を実施するための最良の形態】
【００１４】
以下、本発明の各実施の形態について、図面を用いて説明する。
【００１５】
（第１の実施の形態）
まず、本発明の第１の実施の形態について、図１〜図１６を用いて説明する。
【００１６】
図１〜図３は、本実施の形態に係る文書検索処理装置の構成を示す図である。
【００１７】
図１はネットワーク構成を示した図である。ネットワークに数種のサーバーと多くのクライアント、そしてネットワークプリンタをはじめとする周辺機器がつながれている。サーバーは文書管理サーバー、文書検索サーバー、プリントサーバー等の機能で分担されており、ユーザはクライアントからそれらが一つのシステムであるかのようにオペレートすることが可能である。
【００１８】
図２は、上記ネットワーク全体を一つの文書検索処理装置とみたてた場合のシステム構成を示したブロック図である。
【００１９】
同図において、２０１は検索処理部である。検索指示を解析し、登録されているデータ内を検索し、その結果を出力する機能を担う。本機能は図１において検索サーバーがこれを担う。
【００２０】
２０２は登録部である。登録の指示を受け、検索の対象となるデータを解析し、検索のための情報とデータそのものをデータベースに登録する機能を担う。本機能は図１においては文書管理サーバー、および文書検索サーバーがこれを担う。
【００２１】
２０３はＩＦ（インターフェース）部である。データの登録や検索、印刷等の指示を受け付け、その結果を表示する機能を担う。本機能は図１においてはクライアントがそれぞれ担う。
【００２２】
２０４はデータベース部である。検索用のデータ、検索対象そのもののデータ等をデータベースで管理する機能を担う。本機能は図１においては各種サーバーが分担して担う。
【００２３】
２０５は印刷部である。印刷の指示を受け、データを印刷する機能を担う。本機能は図１においては、プリンタサーバおよびプリンタが担う。
【００２４】
２０６はネットワークバスである。各機能部間のデータのやりとりを担う。本機能は図１におけるネットワークそのものと、ネットワークに繋がるすべての機材が担う。
【００２５】
図３は、図２で示した各機能部を担当する実際のシステムにおけるサーバーおよびクライアントシステムの基本構成を示した図である。
【００２６】
同図において、３０１はＣＰＵ（マイクロプロセッサ：中央演算処理装置）で、文書検索のための演算、論理判断等を行い、後述するバス（ＢＵＳ）３０９を介して該バス３０９に接続された後述する各構成要素を制御する。
【００２７】
３０２はＲＯＭ（リードオンリーメモリ）で、読み出し専用の固定メモリであり、ＣＰＵ３０１による制御プログラム等を記憶している。
【００２８】
３０３はＲＡＭ（ランダムアクセスメモリ）で、各構成要素からの各種データの一時記憶に用いる。
【００２９】
３０４は入力装置で、キーボード及びマウス等からなる。
【００３０】
３０５は表示装置で、ＣＲＴ（陰極線管）或いは液晶表示器等からなる。
【００３１】
３０６は内部記憶装置で、ハードディスクからなる。
【００３２】
３０７は外部記憶装置で、フロッピー（登録商標）ディスクや書き込み可能ＣＤ、ＤＶＤ等の外部記憶装置にアクセスするためのドライブ等である。この外部記憶装置３０７は、記憶装置３０６と同等に使用でき、それらの記憶媒体を通して他の文書検索処理装置とのデータ交換を行う装置である。
【００３３】
３０８は通信装置で、モデム或いはＬＡＮ（ローカルエリアネットワーク）コントローラ等からなり、通信回線を介して外部とのデータ交換を行う装置である。
【００３４】
３０９はバス（ＢＵＳ）で、ＣＰＵ３０１の制御対象である後述する各構成要素を指示するアドレス信号、コントロール信号を転送する。また、後述する各構成要素間のデータ転送を行う。
【００３５】
斯かる各構成要素からなる本実施の形態に斯かる文書検索処理装置においては、入力装置３０４からの各種の入力に応じて作動するものであって、入力装置３０４からの入力が供給されると、まず、インタラプタ信号がＣＰＵ３０１に送られ、該ＣＰＵ３０１がＲＯＭ３０２内に記憶してある各種の制御信号を読み出し、それらの制御信号に従って各種の制御が行われる。
【００３６】
以下、以上の構成よりなる本実施例装置では、検索結果の類似性判定において有効であった類似性判定基準を表示することで高度な文書検索を行なうことが可能である。この処理例を以下に説明する。
【００３７】
図４は本発明を適用した文書検索処理装置の文書検索結果の表示画面構成例を示したものである。
【００３８】
検索モード４０１は表示されている文書検索結果を実行した際の検索モードを表示している。検索モードはキーワード検索や類似文書検索、すべての検索を実行する統合検索等の検索種類や検索クエリ中の単語の同義語・類義語展開や検索結果数等の検索時に指定可能なオプションパラメータを含む。ユーザが個別に指定する場合もあり、また検索クエリから検索処理側が自動で判断する場合もある。画面の例では類似文書検索が実行された結果であると表示されている。
【００３９】
検索クエリ４０２は表示されている文書検索結果を実行した際の検索クエリを表示している。ユーザが直接入力した自然文や、貼り付けられた文書の一部、また文書ファイルそのものを指定することが可能である。画面の例では文書タイトル０８０８８で登録されている文書そのものをクエリとして指定されている。
【００４０】
検索結果ランキング４０３は実行された文書検索の結果順位を示している。画面の例では上位１０件の結果が表示されている。文書タイトル名４０４は検索結果ランキング４０３に該当する文書タイトル名を表示、総合類似度４０５は該当するスコアを表示している。結果はこのスコアによってソーティングされている。
【００４１】
有効類似性判定基準４０６は検索結果の類似性判定において有効であった類似性判定基準を表示している。
【００４２】
画面の例では、検索結果第１位の文書タイトル０８３０８の文書は、判定基準Ａと判定基準Ｄによって高い類似性が確認され、トップにランキングされたことがわかる。また文書タイトル０８０９０は判定基準Ｂと判定基準Ｅによって高い類似性が確認され、第２位にランキングされている。
【００４３】
また検索結果第１位から第６位までの文書は有効判定基準が複数存在しているが、その判定基準間での有効度の違いがフォントの太さによって表現されている。検索結果第１位の文書は判定基準Ａと判定基準Ｄが有効判定基準であるが、判定基準Ａが太字表示されていることで、判定基準Ａのほうが判定基準Ｄよりも有効度が高かったことを確認することができる。
【００４４】
図５は本発明を適用した文書検索処理装置の文書検索における類似性判定基準の構成例を示したものである。
【００４５】
本例では５つの「ファイル種」・「文書内容」・「レイアウト」・「画像」・「ファイル属性」の判定基準から総合判定がなされる構成になっている。
【００４６】
「ファイル種」はテキストファイル、画像ファイルのほか、様々なアプリケーションソフトで使用されているファイル種であり、メールやＷｅｂ上のファイルもここで分類される。
【００４７】
「文書内容」はさらに詳細な６つの判定基準から構成されている。「文書タイトル」はファイル名や内部でタイトルに使用されている文における類似性、「キーワード」はクエリでのキーワードの有無やキーワード間の関係の類似性を判定する。キーワードを用いた検索は通常広く行われている処理である。
【００４８】
「意味概念」は文書の内容を概念レベルでの類似性を判定するもの、「トピック」は文書の内容の話題を示す分野別特徴量での類似性、「地域」は地域性、「時代」は時代性での類似性を判定する。「意味概念」、「トピック」、「地域」、「時代」はあらかじめ用意された知識データベースを用いて、文書内に出現する単語から各範疇での特徴量に換算させ、その総和を文書全体の特徴量とし、その特徴量間の類似性を判定する。類似性の判定は、各範疇において分類された特徴量をベクトルの要素としたベクトル空間モデルを用意し、ベクトル間の余弦値を類似度として判定するものであり、通常広く行われている処理である。
【００４９】
また、これらの各範疇における分類単位をさらに詳細な判定基準とする。「意味概念」では、「人」「物」「行動」「心理」等が具体的な判定基準である。さらに下位分類である単位も同様で、例えば「人」の下位分類である「親族」「仲間」「老若」「男女」等を判定基準とすることも可能である。「トピック」の例では、「政治」「経済」「軍事」「産業」「文化」となり、「地域」では「関東」「関西」「九州」等の国内分類から、「アメリカ」「イギリス」「ブラジル」「中国」等の世界分類単位がこれに該当、「時代」では「現代」「近代」「古代」等になる。いずれも知識データベースにおける特徴量の分類単位に依るもので、各単位での特徴量がえられれば同様である。
【００５０】
「レイアウト」は文書のレイアウト構造の類似性、「画像」が画像データの類似性を判定する、「ファイル属性」はファイルの作成者や所属、作成日等から類似性を判定するもので、いずれも通常広く行われている処理である。
【００５１】
図５による類似判定基準構成に基づいて、高い類似性が判断された判定基準を可能な限り詳細な判定基準レベルで図４の判定基準Ａ〜Ｅのように表示する。
【００５２】
上述の説明をフローに従って説明する。
【００５３】
図６は本発明文書検索装置の動作、より具体的にはマイクロプロセッサＣＰＵの処理手順を示すフローチャートである。ステップＳ６０１はシステムの初期化処理であり、各種パラメータの初期化や初期画面の表示等を行う処理である。ステップＳ６０２はキーボード等の入力装置から何らかのキーが押下され、割込みが発生するのをマイクロプロセッサＣＰＵにおいて待つ処理である。キーが入力されると、ステップＳ６０３においてマイクロプロセッサＣＰＵはこのキーを判別し、キーの種類において各種の処理に分岐する。各種キーに対応した分岐先の複数の処理をステップＳ６０４という形でまとめて表現している。図７、図８、図９で説明する文書の登録処理、検索実行処理、印刷処理がこの分岐先の一部となる。ステップＳ６０５は上記の各処理の結果、変更された部分を表示する表示処理である。表示内容を表示パターンに展開しバッファに出力するといった通常広く行われている処理である。
【００５４】
図７はステップＳ６０４で行うキー対応処理の一つである文書の登録処理を詳細化したフローチャートである。本登録処理は、検索対象とする文書を登録する処理である。ステップＳ７０１では文書を検索するための情報を生成する処理である。検索対象とする文書から、文書テキストに存在する単語を形態素解析処理で抽出、また抽出された単語から知識データベースを用いて意味概念情報やトピック情報、地域・時代情報を生成、さらにレイアウト構造、画像データから画像特徴量、ファイル情報からファイル作成者や作成日等の属性情報等を抽出する。ステップＳ７０２は文書データを文書管理ＤＢに登録するとともに、ＤＢのインデックスを更新する処理である。ステップＳ７０３は、前記ステップＳ７０１で生成した検索情報を文書検索ＤＢへ登録するとともに、ＤＢのインデックスを更新する。
【００５５】
図８はステップＳ６０４で行うキー対応処理の一つである文書の検索実行処理を詳細化したフローチャートである。ステップＳ８０１はユーザの検索条件の入力処理であり、ここにおいてユーザは自然文、あるいは複数のキーワードを入力するか、あるいは既に登録済みの文書を指定する文書ＩＤ、あるいは文書ファイルを指定する文書ファイル名を入力することで検索クエリを指示する。また、検索方法や検索時の様々なオプションもここで指示する。例えば、検索クエリ内の単語を同義語展開や類義語展開等で拡張して検索する等の指示である。ステップＳ８０２は検索条件情報の生成処理であり、検索クエリの解析および総合判定に必要な判定基準の選定、各判定基準の重みを生成する。ステップＳ８０３はステップＳ８０２で得られた検索条件情報をもとに、対象ＤＢ内の各文書において各種の判定基準による類似度を求め、それらを総合した類似度と高い類似性を示した判定基準を指定する情報をＲＡＭに格納する処理である。生成した値をＤＢに登録することも可能である。ステップＳ８０４はステップＳ８０３で格納した文書毎の類似度を順序付けする処理である。ステップＳ８０５はステップＳ８０４で順序付けされた文書を検索結果としてリストアップし、文書を特定する情報と総合類似度、そして類似性判定において有効であった類似性判定基準を表示する処理である。
【００５６】
図９はステップＳ８０３の処理を詳細化したフローチャートである。ステップＳ９０１は検索対象である文書ＤＢ内の文書を指定するカウンターＮに初期値１をセットする処理である。ステップＳ９０２はステップＳ７０３で登録したＮ番目の文書の検索関連データをデータベースから呼び出す処理である。ステップＳ９０３は呼び出された検索関連データから、その文書の今回の検索における類似性を判定する処理である。ステップＳ９０４は上記ステップＳ９０３で判定された結果をメモリあるいは所定のデータベースに格納する処理である。ステップＳ９０５は文書ＤＢ内の検索対象文書に残りがあるが判定する処理であり、存在する場合はステップＳ９０９へ分岐する。ステップＳ９０６ではカウンターであるＮをカウントアップして、ステップＳ９０２に戻り、類似性判定とその結果の格納を繰り返す。
【００５７】
図１０はステップＳ９０３の処理を詳細化したフローチャートである。ステップＳ１００１はステップＳ８０２で設定された検索条件を読み込む処理である。ステップＳ１００２は最初に実行する判定基準に必要な関連データをステップＳ９０２で読み込んだ検索関連データから抽出する。ステップＳ１００３は指定されている判定基準による類似性判定の実行を指示する。指定された判定基準によって、ステップＳ１００４〜６に分岐する。ステップＳ１００４は文書内容に関する類似性を判定する処理である。ステップＳ１００５は文書レイアウト、および包含する画像データに関する類似性を判定する処理である。ステップＳ１００６はファイル種およびファイル属性に関する類似性を判定する処理である。ステップＳ１００４〜６は図５における類似性判定基準構成に依るものである。ステップＳ１００７は設定された検索条件に従がって各類似性判定結果を総合する処理である。検索結果を順序付けするための総合類似度の算出や、高い類似性を示した有効類似性判定基準の識別情報を生成する。ステップＳ１００８は、必要な判定基準の類似性判定がすべて終了したかを判定する処理である。ステップＳ１００９は、ステップＳ１００８で類似性未確認の判定基準があると判定された場合の処理であり、未実施の類似性判定のうちの次に実行すべき判定基準を設定し、ステップＳ１００２へ戻る。ステップＳ１０１０は、ステップＳ１００８で必要な判定基準の類似性判定がすべて終了したと判定された場合の処理であり、生成された類似性判定結果を所定のメモリに格納する。
【００５８】
（他の実施例）
本実施の形態の文書検索結果の表示ではユーザに有効判定基準を確認させるための表示として判定基準名を表示しているが、判定基準名の代わりに記号・マーク等の図形や色などで表示することも可能である。また判定基準間の有効度の差も、数値やグラフ等を利用して定量的に表示することも可能である。また判定基準を容易に類推することが可能な具体的なキーワードを表示することも可能である。
【００５９】
また、本発明は、単体の装置に限らず、複数の装置からなるシステムにも適用可能である。また、それらの装置やシステムに記録媒体や通信装置を使ってソフトウェアを提供することによっても、実現可能であることは言うまでもない。
【００６０】
この場合、本発明を達成するためのソフトウェアによって表わされる制御プログラムを格納した記憶媒体を、システム或いは装置に読み出すこと、或いは前記制御プログラムを、ネットワーク経由でシステム或いは装置に読み出すことによって、そのシステム或いは装置が本発明の効果を享受することが可能となる。
【００６１】
また、前記制御プログラムを記憶するための記憶媒体としては、ハードディスク、フロッピィディスク、光ディスク、光磁気ディスク、ＣＤ−Ｒ、ＤＶＤ、磁気テープ、不揮発性のメモリカード、ＣＤ−ＲＯＭ等を用いることができるのは言うまでもない。
【図面の簡単な説明】
【００６２】
【図１】本発明の第１の実施の形態に係る文書検索処理装置のネットワーク構成の概要を示す図である。
【図２】本発明の第１の実施の形態に係る文書検索処理装置の機能構成を示すブロック図である。
【図３】本発明の第１の実施の形態に係る文書検索処理装置のシステム構成を示すブロック図である。
【図４】本発明の第１の実施の形態に係る文書検索処理装置における文書検索結果の表示画面構成の一例を示す図である。
【図５】本発明の第１の実施の形態に係る文書検索処理装置における類似性判定基準の構成の一例を示す図である。
【図６】本発明の第１の実施の形態に係る文書検索処理装置における文書検索処理動作全体の流れを示すフローチャートである。
【図７】本発明の第１の実施の形態に係る文書検索処理装置における文書登録処理動作の流れを示すフローチャートである。
【図８】本発明の第１の実施の形態に係る文書検索処理装置における文書検索実行処理動作の流れを示すフローチャートである。
【図９】本発明の第１の実施の形態に係る文書検索処理装置における類似性判定結果格納処理動作の流れを示すフローチャートである。
【図１０】本発明の第１の実施の形態に係る文書検索処理装置における類似性判定処理動作の流れを示すフローチャートである。
【図１】
2005173795.tif 000003
【図２】
2005173795.tif 000004
【図３】
2005173795.tif 000005
【図４】
2005173795.tif 000006
【図５】
2005173795.tif 000007
【図６】
2005173795.tif 000008
【図７】
2005173795.tif 000009
【図８】
2005173795.tif 000010
【図９】
2005173795.tif 000011
【図１０】
2005173795.tif 000012